(57)【要約】      （修正有）【課題】視認性を向上することができる入力装置、およびこれを備えた表示装置を提供する。【解決手段】入力装置Ｘ１は、第１主面２ａ、および第１主面２ａの反対側に位置する第２主面２ｂを有した基体２と、基体２の第２主面２ｂに設けられた複数の第１検出電極と、基体２の第２主面２ｂに設けられた複数の第２検出電極４ａと、基体２の第２主面２ｂに設けられており、かつ隣り合う第１検出電極を接続する第１接続電極３ｂと、基体２の第２主面２ｂより離間して第１接続電極３ｂと交差する交差部Ｈ１を有し、かつ隣り合う第２検出電極４ａを接続する第２接続電極４ｂと、少なくとも交差部Ｈ１と対応する領域に配置された光拡散部材７と、を備える。【選択図】図２
2011096234.tif 000002
【特許請求の範囲】
【請求項１】
第１主面、および該第１主面の反対側に位置する第２主面を有した基体と、
前記基体の第２主面に設けられた複数の第１検出電極と、
前記基体の第２主面に設けられた複数の第２検出電極と、
前記基体の第２主面に設けられており、かつ隣り合う前記第１検出電極を接続する第１接続電極と、
前記基体の第２主面より離間して前記第１接続電極と交差する交差部を有し、かつ隣り合う前記第２検出電極を接続する第２接続電極と、
少なくとも前記交差部と対応する領域に配置された光拡散部材と、を備えた入力装置。
【請求項２】
前記第１接続電極を覆うようにして前記基体の第２主面に設けられた絶縁体をさらに備え、
前記第２接続電極は、前記第１接続電極と電気的に絶縁するように前記絶縁体上に設けられており、
前記光拡散部材は、前記交差部および前記絶縁体を覆うようにして設けられている、請求項１に記載の入力装置。
【請求項３】
前記光拡散部材は、前記第１接続電極を覆うようにして前記基体の第２主面に設けられており、
前記第２接続電極は、前記第１接続電極と電気的に絶縁するように前記光拡散部材上に設けられている、請求項１に記載の入力装置。
【請求項４】
前記光拡散部材は、前記基体の第１主面に設けられている、請求項１に記載の入力装置。
【請求項５】
前記光拡散部材のヘイズ値は、０．５〜２％である、請求項１または２に記載の入力装置。
【請求項６】
前記光拡散部材は、接着材と、該接着材中に含まれておりかつ該接着材と屈折率の異なる複数の光拡散粒子とを有する、請求項１〜５のいずれか一項に記載の入力装置。
【請求項７】
請求項１〜６のいずれか一項に記載の入力装置と、
前記入力装置に対向して配置される表示パネルと、を備えた表示装置。
【請求項８】
前記表示パネルは、液晶表示パネルである、請求項７に記載の表示装置。
【発明の詳細な説明】
【技術分野】
【０００１】
本発明は、例えば、使用者が入力操作した箇所を入力位置として検出する入力装置、およびこれを備えた表示装置に関する。
【背景技術】
【０００２】
入力装置としては、例えば、指と検出電極との間での静電容量の変化を捉えて入力位置を検出する静電容量方式のタッチパネルが知られている（例えば、特許文献１参照）。
【０００３】
このような入力装置は、基体と、第１方向に沿って所定の間隔を空けて基体に設けられた複数の第１検出電極と、第２方向に沿って所定の間隔を空けて基体に設けられた複数の第２検出電極と、隣り合う第１検出電極を接続する第１接続電極と、隣り合う第２検出電極を接続する第２接続電極とを備えている。ここで、このような入力装置では、第１接続電極と第２接続電極を電気的に絶縁するために、第１接続電極と第２接続電極との交差部に、絶縁体を介在させている。具体的には、第１接続電極を覆うように絶縁体を形成し、絶縁体上に第２接続電極を形成している。これにより、第１接続電極と第２接続電極との交差部において、第１接続電極と第２接続電極とは、電気的に絶縁されることになる。
【先行技術文献】
【特許文献】
【０００４】
【特許文献１】特開２００８−９７２８３号公報
【発明の概要】
【発明が解決しようとする課題】
【０００５】
しかしながら、上記従来の入力装置では、第１接続電極と第２接続電極との交差部に絶縁膜を介在させているので、当該交差部とそれ以外の部分とで、高さ位置が異なることになる。そのため、上記従来の入力装置を表示装置に備えた場合に、交差部が使用者に視認されてしまう可能性があった。
【０００６】
本発明は、上記の問題点に鑑みてなされたものであり、その目的は、視認性を向上することができる入力装置、およびこれを備えた表示装置に関する。
【課題を解決するための手段】
【０００７】
本発明の一形態に係る入力装置は、第１主面、および該第１主面の反対側に位置する第２主面を有した基体と、前記基体の第２主面に設けられた複数の第１検出電極と、前記基体の第２主面に設けられた複数の第２検出電極と、前記基体の第２主面に設けられており、かつ隣り合う前記第１検出電極を接続する第１接続電極と、前記基体の第２主面より離間して前記第１接続電極と交差する交差部を有し、かつ隣り合う前記第２検出電極を接続する第２接続電極と、少なくとも前記交差部と対応する領域に配置された光拡散部材と、を備える。
【発明の効果】
【０００８】
本発明の入力装置、およびこれを備えた表示装置は、視認性を向上することができるという効果を奏する。
【図面の簡単な説明】
【０００９】
【図１】図１は、本発明の一実施形態に係る入力装置の概略構成を示す平面図である。
【図２】図２は、図１中に示した切断線Ｉ−Ｉに沿って切断した断面図である。
【図３】図３は、図１中に示した切断線ＩＩ−ＩＩに沿って切断した断面図である。
【図４】図４は、光拡散部材において光が拡散している様子を表す図である。
【図５】図５は、光拡散部材のヘイズ値を０〜１０％のうち任意の値にそれぞれ設定した場合の、被験者試験の結果を表で示した図である。
【図６】図６は、本発明の一実施形態に係る表示装置の一例を示す断面図である。
【図７】図７は、変形例１に係る入力装置の概略構成を示す断面図である。なお、図７は、図２と同じ箇所を表す断面図である。
【図８】図８は、変形例１に係る入力装置の概略構成を示す断面図である。なお、図８は、図３と同じ箇所を表す断面図である。
【図９】図９は、変形例２に係る入力装置の概略構成を示す断面図である。なお、図９は、図２と同じ箇所を表す断面図である。
【図１０】図１０は、変形例２に係る入力装置の概略構成を示す断面図である。なお、図１０は、図３と同じ箇所を表す断面図である。
【図１１】図１１は、変形例３に係る入力装置の概略構成を示す断面図である。なお、図１１は、図２と同じ箇所を表す断面図である。
【図１２】図１２は、変形例３に係る入力装置の概略構成を示す断面図である。なお、図１２は、図３と同じ箇所を表す断面図である。
【発明を実施するための形態】
【００１０】
以下、本発明の実施形態について、図面を参照しながら説明する。
【００１１】
図１〜図３に示すように、本実施形態に係る入力装置Ｘ１は、静電容量方式のタッチパネルであって、透光性を有する基体２を備えている。
【００１２】
また、図１に示すように、入力装置Ｘ１は、使用者が指Ｆ１を近接、接触、または押圧することで情報を入力するための入力領域ＥＩと、入力領域ＥＩの外側に位置する外側領域ＥＯとを有している。また、外側領域ＥＯには、図外のＦＰＣ（Flexible Printed Circuit）等と電気的に接続される領域である外部導通領域Ｇ１を含んでいる。
【００１３】
基体２は、入力領域ＥＩにおいて後述する第１検出電極３ａ、第１接続電極３ｂ、第２検出電極４ａ、および第２接続電極４ｂを支持する役割を担うとともに、外側領域ＥＯにおいて後述する配線導体６を支持する役割を担う部材である。また、基体２は、第１主面２ａ、および第１主面２ａの反対側に位置する第２主面２ｂを有している。すなわち、入力領域ＥＩに対応する基体２の第１主面２ａが、使用者が指Ｆ１を近接、接触、または押圧することで情報を入力するための面となる。このため、基体２の第１主面２ａには、図示しない保護フィルムが設けられていることが好ましい。さらに、基体２は、これら主面２ａ，２ｂに対して交差する方向（矢印ＥＦ方向）に光を適切に透過することが可能な構成とされるとともに、絶縁性を有する構成とされている。基体２の構成材料としては、例えば、透明ガラスあるいは透明プラスチック等の透光性を有するものが挙げられるが、中でも視認性、信頼性の観点において透明ガラスが好ましい。なお、本明細書において透光性とは、可視光に対する透過性を有することを意味する。また、本実施形態に係る基体２の平面視形状は実質的に矩形状とされているが、これには限られない。
【００１４】
また、入力領域ＥＩに対応する基体２の第２主面２ｂ上には、第１検出電極３ａと、第１接続電極３ｂと、第２検出電極４ａと、第２接続電極４ｂと、絶縁体５とが設けられている。
【００１５】
第１検出電極３ａは、入力装置Ｘ１に接近した使用者の指Ｆ１の、第２方向（矢印ＣＤ方向）における入力位置の検出を行う役割を有するものであり、指Ｆ１との間に静電容量
を発生する機能を有している。すなわち、第１検出電極３ａは、基体２の第２主面２ｂに第１方向（矢印ＡＢ方向）に沿って所定の間隔を空けて設けられている。ここで、本実施形態に係る第１検出電極３ａは、検出感度を向上する観点から、平面視形状が略ひし形とされているが、これには限られない。
【００１６】
第１接続電極３ｂは、隣り合う第１検出電極３ａ同士を接続する部材であり、基体２の第２主面２ｂに設けられている。
【００１７】
第２検出電極４ａは、入力装置Ｘ１に接近した使用者の指Ｆ１の、第１方向における入力位置の検出を行う役割を有するものであり、指Ｆ１との間に静電容量を発生する機能を有している。すなわち、第２検出電極４ａは、基体２の第２主面２ｂに第２方向に沿って所定の間隔を空けて設けられている。ここで、本実施形態に係る第２検出電極４ａは、検出感度を向上する観点から、平面視形状が略ひし形とされているが、これには限られない。
【００１８】
第２接続電極４ｂは、基体２の第２主面２ｂより離間して第１接続電極３ｂと交差する交差部Ｈ１を有し、かつ隣り合う第２検出電極４ａ同士を接続する部材である。具体的には、第２接続電極４ｂは、第１接続電極３ｂと絶縁するように絶縁体５上に設けられている。ここで、絶縁体５は、第１接続電極３ｂを覆うようにして基体２の第２主面２ｂに設けられている。そのため、入力装置Ｘ１は、交差部Ｈ１と、それ以外の部分（例えば、第１検出電極３ａの上面、および第２検出電極４ａの上面）とで、高さ位置が異なることになる。なお、絶縁体５の構成材料としては、例えば、アクリル樹脂、エポキシ樹脂、あるいはシリコーン樹脂等の透明樹脂が挙げられる。
【００１９】
上述の第１検出電極３ａ、第１接続電極３ｂ、第２検出電極４ａ、および第２接続電極４ｂの構成材料としては、例えば、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、あるいは導電性高分子（例えば、ＰＥＤＯＴ、ＰＳＳ等）が挙げられる。
【００２０】
また、外側領域ＥＯに対応する基体２の第２主面２ｂ上には、第１検出電極３ａおよび第２検出電極４ａに対して電圧を印加するための配線導体６が設けられている。
【００２１】
配線導体６は、その一端部が第１検出電極３ａおよび第２検出電極４ａと電気的に接続され、その他端部が外部導通領域Ｇ１に位置している。本実施形態に係る配線導体６は、例えば、硬質で高い形状安定性を得るべく、金属薄膜で構成されている。この金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、上述の金属薄膜を形成する法としては、例えば、スパッタリング法、蒸着法、あるいは化学気相成長（ＣＶＤ）法が挙げられる。
【００２２】
また、基体２の第２主面２ｂ上には、少なくとも交差部Ｈ１と対応する領域に配置された光拡散部材７が設けられている。本実施形態では、光拡散部材７は、上述の第１検出電極３ａ、第１接続電極３ｂ、第２検出電極４ａ、第２接続電極４ｂ、絶縁体５、および配線導体６を覆うようにして設けられている。
【００２３】
光拡散部材７は、光を拡散させるための役割を有する部材である。光拡散部材７は、接着材７ａと、接着材７ａ中に含まれておりかつ接着材７ａと屈折率の異なる複数の光拡散粒子７ｂとを有している。ここで、接着材７ａとしては、例えば、アクリル系粘着材、エポキシ系粘着材、シリコン系粘着材等が挙げられる。また、光拡散粒子７ｂの構成材料と
しては、例えば、二酸化ケイ素、酸化アルミニウム、酸化チタン、酸化イットリウム、二酸化ジルコニウム、あるいは中空の二酸化ケイ素等が挙げられる。なお、光拡散粒子７ｂは、接着材７ａの屈折率とは異なる屈折率を有しているが、後方錯乱を抑制するため、なるべく接着材７ａの屈折率と近い屈折率を有していることが好ましい。
【００２４】
図４は、光拡散部材７において光が拡散している様子を表す図である。なお、図４の矢印は、光の経路を概念的に示している。図４に示すように、外側からの光（外光）と、入力装置Ｘ１が後述する表示装置Ｙ１に用いられた場合の、後述するバックライト５１からの光（内光）とは、光拡散粒子７ｂにおいて拡散（錯乱）される。このため、入力装置Ｘ１は、交差部Ｈ１とそれ以外の部分とで、高さ位置が異なる場合であっても、光拡散部材７において光が拡散されるので、交差部Ｈ１が使用者に視認されてしまう可能性を低減することができる。
【００２５】
光拡散部材７は、上記のように、光を拡散させる機能を有している。この拡散機能は、光拡散部材７の光学的な特性に依存する。光拡散部材７の光学的な特性を示す物性値の１つとして、ヘイズ値がある。ヘイズ値は、光拡散部材７に光を照射したときの全透過光に対する拡散透過光の割合で表される。すなわち、ヘイズ値が高いほど拡散機能が強い。このため、光拡散部材７において光が拡散されれば、交差部Ｈ１が使用者に視認されてしまう可能性を低減することが可能となるが、逆に、光拡散部材７のヘイズ値が高すぎると、画像そのものがぼやけてしまい、視認性が低下する。そのため、交差部Ｈ１が使用者に視認される可能性を低減しつつ、画像そのものがぼやけないように、光拡散部材７のヘイズ値を適切に設定する必要がある。
【００２６】
図５は、光拡散部材７のヘイズ値を０〜１０％のうち任意の値にそれぞれ設定した場合の、被験者試験の結果を表で示した図である。具体的には、まず、交差部Ｈ１の視認度合いを被験者において確認した。「○」は、交差部Ｈ１が視認されなかったことを示し、「△」は、交差部Ｈ１がやや視認されたことを示し、「×」は、交差部Ｈ１が視認されたことを示している。次に、画像がぼやけているかを被験者において確認した。「○」は、画像がはっきりと表示されていることを示し、「△」は、画像がややぼやけていることを示し、「×」は、画像がぼやけていることを示している。図５に示すように、光拡散部材７のヘイズ値が０．５〜２％である場合に、交差部Ｈ１が視認されず、かつ、画像がはっきりと表示されていることが判る。このため、光拡散部材７のヘイズ値は、０．５〜２％であることが好ましい。なお、交差部Ｈ１がやや視認されてもよいのであれば、光拡散部材７のヘイズ値は、０．３〜０．５％、および２〜５％であってもよい。
【００２７】
また、基体２の第２主面２ｂ上には、上述の光拡散部材７を覆うようにして保護部材８が設けられている。
【００２８】
保護部材８は、例えば、ＰＥＴ（ポリエチレンテレフタレート）フィルム、樹脂フィルム等から構成される。保護部材８は、例えば、基体２が割れた際に当該基体２が飛び散らないようにする、いわゆる飛散防止機能を有している。また、保護部材８が設けられていないと、光拡散部材７が空気に触れることになり、接着材７ａに水分が吸着する可能性がある。接着材７ａに水分が吸着すると、第１検出電極３ａ、第１接続電極３ｂ、第２検出電極４ａ、および第２接続電極４ｂまで水分が浸出する可能性があり、これら電極３ａ，３ｂ，４ａ，４ｂが腐食する可能性がある。これに対して、本実施形態のように、光拡散部材７を覆うようにして保護部材８が設けられていると、接着材７ａに水分が吸着する可能性を低減できる。そのため、本実施形態に係る入力装置Ｘ１では、電極３ａ，３ｂ，４ａ，４ｂが腐食する可能性を低減できる。
【００２９】
次に、本実施形態に係る入力装置Ｘ１の検出原理について説明する。
【００３０】
入力領域ＥＩに対応する基体２の第１主面２ａに、導電体である指Ｆ１が近接、接触、または押圧すると、指Ｆ１と検出電極３ａ，４ａとの間の静電容量が変化する。ここで、入力装置Ｘ１に備えられる図示しないドライバは、指Ｆ１と検出電極３ａ，４ａとの間の静電容量の変化を常に検出している。このドライバは、所定値以上の静電容量の変化を検出すると、静電容量の変化が検出された位置を入力位置として検出する。このようにして、入力装置Ｘ１は、入力位置を検出することができる。なお、入力装置Ｘ１が入力位置を検出する方式として、相互キャパシタンス方式および自己キャパシタンス方式のいずれの方式であってもよい。相互キャパシタンス方式を採用すると、同時に複数の入力位置を検出できるので、自己キャパシタンス方式を採用する場合と比べて、好ましい。
【００３１】
また、上記の入力装置Ｘ１は、例えば、表示装置に用いることができる。図６は、本実施形態に係る表示装置Ｙ１の一例を示す断面図である。図６に示すように、表示装置Ｙ１は、上記の入力装置Ｘ１と、入力装置Ｘ１に対向して配置される液晶表示装置Ｚ１とを備えている。
【００３２】
液晶表示装置Ｚ１は、液晶表示パネル５０、バックライト５１、および筐体５２を備えている。
【００３３】
バックライト５１は、光源５１ａおよび導光板５１ｂを備えている。光源５１ａは、導光板５１ｂに向けて光を出射する役割を担う部材であり、例えば、ＬＥＤ（Light Emitting Diode）から構成される。なお、ＬＥＤの代わりに、冷陰極蛍光ランプ（ＣＣＦＬ）、ハロゲンランプ、キセノンランプ、ＥＬ（Electro-Luminescence）であってもよい。導光板５１ｂは、液晶表示パネル５０の下面全体にわたって、光源５１ａからの光を略均一に導くための役割を担う部材である。
【００３４】
筐体５２は、液晶表示パネル５０およびバックライト５１を収容する役割を担うものであり、上側筐体５２ａおよび下側筐体５２ｂを備えている。筐体５２の構成材料としては、例えば、ポリカーボネート等の樹脂、あるいはステンレス（ＳＵＳ）、アルミニウム等の金属が挙げられる。
【００３５】
ここで、入力装置Ｘ１と液晶表示装置Ｚ１とは、両面テープＴ１を介して接着される。すなわち、入力装置Ｘ１における保護部材８の背面が液晶表示パネル５０の主面に対向配置されるように、入力装置Ｘ１と液晶表示装置Ｚ１とが、両面テープＴ１を介して接着される。なお、入力装置Ｘ１と液晶表示装置Ｚ１との固定方法に使用される固定用部材は両面テープＴ１には限られず、例えば、熱硬化性樹脂や紫外線硬化性樹脂等の接着部材、あるいは入力装置Ｘ１と液晶表示装置Ｚ１とを物理的に固定する固定構造体であってもよい。
【００３６】
このように、上記の入力装置Ｘ１は、液晶表示装置Ｚ１の液晶表示パネル５０を透視しながら、入力装置Ｘ１の入力領域ＥＩを押圧することによって、各種の情報を入力することができる。なお、各種の情報を入力する際に、情報を入力した使用者に対して、押しボタンスイッチを操作した場合と同様のリアルな押圧感を伝達する機能を入力装置Ｘ１に付与してもよい。この場合、入力装置Ｘ１における基体２に圧電素子を備え、押圧操作による所定の荷重を検知した場合に、この圧電素子を所定の周波数で振動させ、圧電素子の振動に伴って基体２を振動させることで実現可能である。
【００３７】
また、上記の表示装置Ｙ１は、例えば、携帯電話、ＰＤＡ（Personal Digital Assistant）等の携帯用の端末装置、電子手帳、パーソナルコンピュータ、複写機、あるいはゲーム用の端末装置等の種々の電子機器に備えられる。
【００３８】
以上のように、上記の入力装置Ｘ１および表示装置Ｙ１によれば、視認性を向上することができる。
【００３９】
なお、上述した実施形態は、本発明の実施形態の一具体例を示すものであり、種々の変形が可能である。以下、いくつかの主な変形例を示す。
【００４０】
[変形例１]
図７および図８は、変形例１に係る入力装置Ｘ２の概略構成を示す断面図である。なお、図７は、図２と同じ部分を表す断面図である。図８は、図３と同じ部分を表す断面図である。なお、図７および図８において、図２および図３と同様の機能を有する構成については、同じ参照符号を付記し、その詳細な説明を省略する。
【００４１】
図７および図８に示すように、変形例１に係る入力装置Ｘ２は、入力装置Ｘ１と同様、光拡散部材７を備えている。但し、変形例１に係る入力装置Ｘ２では、交差部Ｈ１および絶縁体５を覆うようにして光拡散部材７が設けられており、交差部Ｈ１および絶縁体５が存在しない部位では光拡散部材７が設けられていない点で、入力装置Ｘ１と異なっている。すなわち、入力装置Ｘ２では、交差部Ｈ１および絶縁体５が存在しない部位では、光拡散部材７の代わりに、接合部材９が設けられている。ここで、接合部材９の構成材料としては、例えば、アクリル樹脂、エポキシ樹脂、あるいはシリコン樹脂等の透明樹脂が挙げられる。
【００４２】
このように、交差部Ｈ１および絶縁体５を覆うようにして光拡散部材７が設けられており、交差部Ｈ１および絶縁体５が存在しない部位では光拡散部材７が設けられていない場合であっても、上述の実施形態で説明したのと同様の効果を得ることができる。また、入力装置Ｘ２では、交差部Ｈ１および絶縁体５が存在しない部位では、光拡散部材７の代わりに、接合部材９が設けられているので、光拡散部材７のヘイズ値を高くしても、画像がぼやけることを抑制できる。そのため、入力装置Ｘ２では、より効果的に、交差部Ｈ１の視認性を改善することができる。
【００４３】
[変形例２]
図９および図１０は、変形例２に係る入力装置Ｘ３の概略構成を示す断面図である。なお、図９は、図２と同じ部分を表す断面図である。図１０は、図３と同じ部分を表す断面図である。なお、図９および図１０において、図２および図３と同様の機能を有する構成については、同じ参照符号を付記し、その詳細な説明を省略する。
【００４４】
図９および図１０に示すように、変形例２に係る入力装置Ｘ３は、入力装置Ｘ１と同様、第１接続電極３ｂを覆うようにして基体２の第２主面２ｂに設けられた絶縁体５を備えている。但し、変形例２に係る入力装置Ｘ３では、絶縁体５が、第１接続電極３ｂと第２接続電極４ｂを電気的に絶縁する機能に加えて、光拡散部材としても機能している点で、入力装置Ｘ１と異なっている。すなわち、絶縁体（光拡散部材）５は、絶縁体５中に含まれておりかつ絶縁体５と屈折率の異なる複数の光拡散粒子５ａを有している。
【００４５】
なお、変形例２に係る入力装置Ｘ３は、第１検出電極３ａ、第１接続電極３ｂ、第２検出電極４ａ、第２接続電極４ｂ、絶縁体５、および配線導体６を覆うようにして接合部材９が設けられている。また、接合部材９の上面には、保護部材８が設けられている。
【００４６】
このように、絶縁体５が、光拡散部材として機能する場合であっても、上述の実施形態で説明したのと同様の効果を得ることができる。また、変形例２に係る入力装置Ｘ３では、絶縁体５が光拡散部材として機能するので、絶縁体（光拡散部材）５のヘイズ値を高く
しても、画像がぼやけることを抑制できる。そのため、入力装置Ｘ３では、より効果的に、交差部Ｈ１の視認性を改善することができる。
【００４７】
[変形例３]
図１１および図１２は、変形例３に係る入力装置Ｘ４の概略構成を示す断面図である。なお、図１１は、図２と同じ部分を表す断面図である。図１２は、図３と同じ部分を表す断面図である。なお、図１１および図１２において、図２および図３と同様の機能を有する構成については、同じ参照符号を付記し、その詳細な説明を省略する。
【００４８】
図１１および図１２に示すように、変形例３に係る入力装置Ｘ４は、基体２の第１主面２ａに保護部材１０が設けられている。保護部材１０は、例えば、ＰＥＴフィルム、樹脂フィルム等から構成される。保護部材１０は、基体２の第１主面２ａを保護する機能に加えて、光拡散部材としても機能する。すなわち、保護部材（光拡散部材）１０は、保護部材１０中に含まれておりかつ保護部材１０と屈折率の異なる複数の光拡散粒子１０ａを有している。
【００４９】
このように、保護部材１０が、光拡散部材として機能する場合であっても、上述の実施形態で説明したのと同様の効果を得ることができる。
【００５０】
[変形例４]
なお、上述の入力装置Ｘ１では、入力領域ＥＩに対応する基体２の第１主面２ａが、使用者が指Ｆ１を近接、接触、または押圧することで情報を入力するための面となる例について説明したが、これに限定されない。すなわち、保護部材８の背面が、使用者が指Ｆ１を近接、接触、または押圧することで情報を入力するための面となってもよい。この場合、基体２の第１主面２ａが液晶表示パネル５０の主面に対向配置されるように、入力装置Ｘ１と液晶表示装置Ｚ１とが接着される。
【００５１】
[変形例５]
また、上記では、入力装置Ｘ１が接着される表示パネルが液晶表示パネルである例について説明したが、これに限定されない。すなわち、入力装置Ｘ１が装着される表示パネルは、ＣＲＴ、プラズマディスプレイ、有機ＥＬディスプレイ、無機ＥＬディスプレイ、ＬＥＤディスプレイ、蛍光表示管、電界放出ディスプレイ、表面電界ディスプレイ等であってもよい。
【００５２】
[変形例６]
さらに、上記では、入力装置Ｘ１を備えた表示装置Ｙ１の例について説明したが、当該入力装置Ｘ１に代えて、変形例１〜５に係る入力装置を採用してもよい。
【符号の説明】
【００５３】
Ｘ１，Ｘ２，Ｘ３,Ｘ４  入力装置
Ｙ１  表示装置
２  基体
２ａ  基体の第１主面
２ｂ  基体の第２主面
３ａ  第１検出電極
３ｂ  第１接続電極
４ａ  第２検出電極
４ｂ  第２接続電極
５  絶縁体（光拡散部材）
５ａ  光拡散粒子
７  光拡散部材
７ａ  接着材
７ｂ  光拡散粒子
１０  保護部材（光拡散部材）
１０ａ  光拡散粒子
５０  液晶表示パネル（表示パネル）
【図１】
2011096234.tif 000003
【図２】
2011096234.tif 000004
【図３】
2011096234.tif 000005
【図４】
2011096234.tif 000006
【図５】
2011096234.tif 000007
【図６】
2011096234.tif 000008
【図７】
2011096234.tif 000009
【図８】
2011096234.tif 000010
【図９】
2011096234.tif 000011
【図１０】
2011096234.tif 000012
【図１１】
2011096234.tif 000013
【図１２】
2011096234.tif 000014